(57)【要約】【課題】  可視画像を正確な位置に追記する。【解決手段】  光ディスクに可視画像を記録するときに、その光ディスクに固有の識別番号と、該可視画像が記録されたその光ディスクのイメージデータと、該イメージデータとその光ディスクの識別番号とを関連付けるリンク情報をホスト機器３０に保存しておく。可視画像を追記するために光ディスク１が挿入されたときに、その識別番号を読み出して、ホスト機器３０中に対応するイメージデータが保存されていれば、既存の可視画像を表示した編集画面を使用して追加する可視画像の編集を行う。前記光ディスクに固有の識別番号は、光ディスク１に初めて可視画像を記録するときに光ディスク１の所定の領域に記録するようにしてもよいし、２層ディスクの場合にはＰＭＡに記録されているディスク識別番号を利用することもできる。【選択図】  図６
2007042259.tif 000002
【特許請求の範囲】
【請求項１】
ホスト機器を用いて編集された可視画像を光ディスクにレーザーを使用して形成する可視画像記録方法であって、
編集する工程により編集された可視画像が形成されている光ディスクのイメージデータと、該イメージデータとその光ディスクに固有の識別番号とを関連付けるリンク情報とを前記ホスト機器に記憶する工程と、
光ディスクから前記識別番号を読み出す工程と、
該読み出された識別番号と前記リンク情報とに基づいて、前記ホスト機器に記憶されているその光ディスクの最新のイメージデータを読み出し、編集画面に表示する工程と、
前記編集画面で、該編集画面に表示されている前記イメージデータと、その光ディスクに新たに追加して形成する可視画像に対応するイメージデータとを編集する工程と、
前記編集画面における編集に対応してその光ディスクへ新たに追加して形成する可視画像をその光ディスクに形成する工程と
を含むことを特徴とする光ディスクへの可視画像記録方法。
【請求項２】
光ディスクに最初にレーザーを使用して可視画像を形成するときに、その光ディスクに固有の識別番号をその光ディスクの所定の領域に記録する工程を含むことを特徴とする請求項１記載の可視画像記録方法。
【請求項３】
前記光ディスクには、可視画像を形成するための可視画像記録領域と、ディスクの最内周部又は最外周部の少なくとも一方にあらかじめ溝を彫る方法によって螺旋状に形成された複数のトラックを有する記録領域とが設けられており、
前記可視画像記録領域には前記溝は形成されておらず、
前記記録領域は前記識別番号が記録される領域である
ことを特徴とする請求項２記載の光ディスクへの可視画像記録方法。
【請求項４】
前記識別番号を記録する工程は、前記識別番号を所定の符号化方法によって符号化し、該符号に従って前記記録領域のトラックにマークとスペースを交互に形成する工程であることを特徴とする請求項３記載の光ディスクへの可視画像記録方法。
【請求項５】
前記識別番号を記録する工程は、前記識別番号の各ビットを前記記録領域のトラックを所定長ごとに分割した区分にそれぞれ割り当て、該区分をそのビットの値に応じて光学的に差別化できる状態に形成する工程であることを特徴とする請求項３記載の光ディスクへの可視画像記録方法。
【請求項６】
前記識別番号を記録する工程は、前記識別番号に対応するバーコードを前記記録領域に放射状に形成する工程であることを特徴とする請求項３記載の光ディスクへの可視画像記録方法。
【請求項７】
前記識別番号は、その光ディスクのプログラムメモリ領域に記録されているディスク識別番号であることを特徴とする請求項１記載の光ディスクへの可視画像記録方法。
【請求項８】
前記読み出す工程において、前記光ディスクから読み出された識別番号に関連する前記リンク情報が保存されていないときに警告表示をすることを特徴とする請求項１記載の光ディスクへの可視画像記録方法。
【請求項９】
前記記憶する工程において、前記イメージデータと前記識別番号とを関連付けるリンク情報を前記ホスト機器に記憶した後には、それ以前に記憶されていたその光ディスクの識別番号に対応するリンク情報は消去されていることを特徴とする請求項１記載の光ディスクへの可視画像記録方法。
【請求項１０】
光ディスクにレーザーを使用して可視画像を形成することができる光ディスク記録装置であって、
光ディスクにレーザーを使用して可視画像を形成するときに、該可視画像が形成されている光ディスクのイメージデータと、該イメージデータとその光ディスクに固有の前記識別番号とを関連付けるリンク情報とを記憶部に記憶する手段と、
光ディスクから前記識別番号を読み出す手段と、
該読み出された識別番号と前記リンク情報とに基づいてその光ディスクの最新のイメージデータを読み出し、その光ディスクに可視画像を形成するための編集画面に表示する手段と、
前記編集画面における編集に対応してその光ディスクへ新たに追加して形成する可視画像をその光ディスクに形成する手段と、
を有することを特徴とする光ディスク記録装置。
【請求項１１】
光ディスクに最初に可視画像を形成するときに、その光ディスクに固有の識別番号をその光ディスクの所定の領域に記録する手段を有することを特徴とする請求項１０記載の光ディスク記録装置。
【請求項１２】
前記光ディスクには、可視画像を形成するための可視画像記録領域と、ディスクの最内周部又は最外周部の少なくとも一方にあらかじめ溝を彫る方法によって螺旋状に形成された複数のトラックからなる記録領域とが設けられており、
前記可視画像記録領域には前記溝は形成されておらず、
前記記録領域は前記識別番号が記録される領域である
ことを特徴とする請求項１１記載の光ディスク記録装置。
【請求項１３】
前記識別番号を記録する手段は、前記識別番号を所定の符号化方法によって符号化し、該符号に従って前記記録領域のトラックにマークとスペースを交互に形成する手段であることを特徴とする請求項１２記載の光ディスク記録装置。
【請求項１４】
前記識別番号を記録する手段は、前記識別番号の各符号ビットを前記記録領域のトラックを所定長ごとに分割した区分にそれぞれ割り当て、該区分をそのビットの値に応じて光学的に差別化できる状態に形成する手段であることを特徴とする請求項１２記載の光ディスク記録装置。
【請求項１５】
前記識別番号を記録する手段は、前記識別番号に対応するバーコードを前記記録領域に放射状に形成する手段であることを特徴とする請求項１２記載の光ディスク記録装置。
【請求項１６】
前記識別番号は、その光ディスクのプログラムメモリ領域に記録されているディスク識別番号であることを特徴とする請求項１０記載の光ディスク記録装置。
【請求項１７】
前記読み出す手段は、前記光ディスクから読み出された該読み出された識別番号に関連する前記リンク情報が保存されていないときに、警告表示を行う機能を有するものであることを特徴とする請求項１０記載の光ディスク記録装置。
【請求項１８】
前記記憶する手段は、前記イメージデータと前記識別番号とを関連付けるリンク情報を前記記憶部に記憶するときに、それ以前に記憶されていたその光ディスクの識別番号に対応するリンク情報を消去するものであることを特徴とする請求項１０に記載の光ディスク記録装置。
【発明の詳細な説明】
【技術分野】
【０００１】
本発明は、ＣＤ−Ｒ／ＲＷやＤＶＤ＋Ｒ／ＲＷ及びＤＶＤ−Ｒ／ＲＷなどの光ディスクのディスク面にレーザーを使用して可視画像を形成する光ディスクへの可視画像記録方法及び光ディスク記録装置に関し、特に、既に可視画像が形成されている光ディスクに新たな可視画像を追加して記録する場合に適用して好適なものである。
【背景技術】
【０００２】
光ディスクの記録面やレーベル面（記録面と反対側の面）にレーザーを使用して文字や図形等の可視画像を形成することは知られている。
例えば、特許文献１には光ディスクのレーベル面側から見える個所に可視光特性変化層を設け、レーザー光を照射することによりその可視光特性を変化させて可視画像を形成することが提案されている。
また、特許文献２には、レーザーを使用して可視画像を記録することが可能な光ディスクにおいて、記録膜に可逆的な相変化材料を用い、記録した図形を書き換えることが提案されている。
さらに、特許文献３には、既に可視画像が形成されている光ディスクの記録面に新たに可視画像を追記することが提案されている。
なお、特許文献４には、光ディスクのディスク面に形成するのに好適なバーコードが提案されている。
【特許文献１】特開２００２−２０３３２１号公報
【特許文献２】特開２００３−０１６６４９号公報
【特許文献３】特開２００４−０３９０１９号公報
【特許文献４】特開２００４−０６３０３０号公報
【発明の開示】
【発明が解決しようとする課題】
【０００３】
上述のように、特許文献３において、レーザーにより既に可視画像が形成されている光ディスクのディスク面に、さらに可視画像を追記することは提案されている。
しかしながら、特許文献３に記載されているものは、追記の態様や順番があらかじめ決まっており、使用者は自由な態様で追記することはできなかった。
可視画像を追記するときには、既に形成されている可視画像のディスク面上の位置を認識することが、新たに記録する画像と既存の画像との重なりを防止したり、無駄な空間が発生することを防ぐために必要である。
このために、上記特許文献３では、（１）ディスク上に形成されているウォブル（wobble）から位置アドレスを検出して、記録した可視画像位置のスタート又はエンドアドレスを記録する方法、及び、（２）反射光信号のエンベロープ形状から可視画像が形成されてる領域を検出する方法が提案されている。
しかしながら、上記（１）の方法は、位置アドレスを検出することができるように、可視画像を記録する領域に案内溝（groove）が設けられていることが必要であった。また、上記（２）の方法では、精度よく位置を検出することが困難であったが、場所、順番、形状があらかじめ決まっているので、格別な精度は必要でなかった。
【０００４】
そこで、本発明は、レーザーを用いて可視画像を記録することができる光ディスクにおいて、可視画像を正確な位置に容易に追記することができる光ディスクへの可視画像記録方法及び光ディスク記録装置を提供することを目的としている。
【課題を解決するための手段】
【０００５】
上記目的を達成するために、本発明の光ディスクへの可視画像記録方法及び光ディスク記録装置は、光ディスクにレーザーを用いて可視画像を描画記録する際に、ホスト機器側に可視画像が形成されているその光ディスクのイメージデータと該イメージデータとその光ディスクの識別番号とを関連付けるリンク情報を保存するようにしている。そして、追記時に、光ディスク上の前記識別番号を読み出し、ホスト機器にその識別番号に対応したイメージデータが保存されているときは、その光ディスクに既に形成されている可視画像を編集画面に再現させるようにしたことを主要な特徴としている。
前記光ディスクに固有の識別番号は、光ディスクに最初に可視画像を記録するときに、光ディスクの所定の領域にその光ディスクに固有の識別番号を記録する。その場合、光ディスクの最内周部又は／及び最外周部には所定の幅で複数の案内溝が設けられた記録領域が設けられており、この記録領域に前記識別番号が記録される。また、光ディスクのＰＭＡに記録されている識別番号を使用するようにしてもよい。そして、前記可視画像は案内溝が設けられていない平坦なミラー面とされた可視画像記録領域に形成される。
また、前記識別番号を前記光ディスクの記録領域に記録するときに、（１）識別番号を所定の符号化方法によって符号化し、該符号に従って前記記録領域のトラックにマークとスペースを交互に形成する方法、（２）識別番号の各ビットを前記記録領域のトラックを所定長ごとに分割した区分にそれぞれ割り当て、該区分をそのビットの値に応じて光学的に差別化できる状態に形成する方法、及び、（３）前記識別番号に対応するバーコードを前記記録領域に放射状に形成する方法、のいずれかの方法で記録するようにしている。
【発明の効果】
【０００６】
本発明の光ディスクへの可視画像記録方法及び光ディスク装置によれば、ホスト機器の画像編集ソフトなどでディスク上の既存画像を容易にかつ正確に表示することができ、ユーザーはその画像編集ソフト上で、新たに追加したい絵柄や文字等を容易に追加して編集することができる。
そして、その情報をホスト機器が処理し、光ディスクドライブ装置に送ることにより、ディスク上の正確な位置に可視画像を編集に対応して追加することが可能となる。
【発明を実施するための最良の形態】
【０００７】
本発明で使用される光ディスクには、大きく分けて２種類のものがある。はじめに、本発明において使用される可視画像を記録することができる２種類の光ディスクについて説明し、以下、本発明の光ディスク記録装置の構成、第１の種類の光ディスクを使用する場合の動作、第２の種類の光ディスクを使用する場合の動作の順に説明する。
１．第１の種類の光ディスク
図１は、本発明において使用する第１の種類の光ディスク１の一実施の形態におけるレーベル面の構造を示す図である。なお、記録面は、ＣＤ系（ＣＤ−Ｒ／ＲＷ）又はＤＶＤ系（ＤＶＤ−Ｒ／ＲＷ、ＤＶＤ＋Ｒ／ＲＷ）のいずれであってもよい。
この図に示すように、光ディスク１におけるディスク内周部の所定の半径から所定の半径まで案内溝（Groove）が螺旋状に形成されている。また、ディスク外周部の所定の半径から所定の半径まで案内溝が螺旋状に形成されている。図示した例では、半径２２ｍｍ〜２４ｍｍの最内周部の領域２（以下、「内周側インフォメーションエリア」とよぶ。）と半径５６ｍｍ〜５８ｍｍの最外周部の領域３（以下、「外周側インフォメーションエリア」とよぶ。）が形成されている。この内周側インフォメーションエリア２又は外周側インフォメーションエリア３に前述した識別番号が記憶される。なお、内周側インフォメーションエリア２と外周側インフォメーションエリア３の両方を設ける必要はなく、いずれか一方のみを設けるようにしてもよい。
前記案内溝にはウォブル（wobble）が形成されており、ウォブルには、ディスク位置情報（アドレス情報）がわかるように、位相変調やＦＭ変調等が施されている。ＤＶＤ系規格のＡＤＩＰ（Address In Pre-Groove）、ＣＤ系規格のＡＴＩＰ（Absolute Time in Pre-Groove）、あるいは、それらとは全く違った仕様のウォブルが形成されていても構わない。また、ウォブルの長さ（１周期の長さ）はその領域内で一定としてもよいし、可変としてもよい。
【０００８】
前記内周側インフォメーションエリア２と外周側インフォメーションエリア３の間の領域４は、可視画像を記録することができる可視画像記録領域である。前記特許文献１に記載されているように、レーザー光をこの可視画像記録領域４に照射することによりその可視光特性を変化させて可視画像を形成することができる。
この可視画像記録領域４には上記案内溝は形成されておらず、平坦なミラー面とされている。可視画像記録領域４をミラー面としているのは、前述した特許文献３の発明のようにディスク上の絶対アドレス情報を必要としないため案内溝を設ける必要がないこと、可視画像の記録中にトラッキングをかける必要がないこと、及び、案内溝があると光の干渉等により、可視画像の見栄えに影響があることなどの理由による。
【０００９】
また、前記光ディスク１には、あらかじめ一つの半径方向が基準角度位置として定められており、光ディスク１上に設けたブラックドットなどのマークや、前記内周側インフォメーションエリア２又は外周側インフォメーションエリア３から知ることができる所定のアドレス位置を該基準角度位置を示すマークとすることができる。
光ディスク１に可視画像を初めて記録するとき、及び、可視画像を追記するときは、この基準角度位置を示すマークが検出されたタイミングに同期させて可視画像の記録を開始させる。これにより、何度描画しても、毎回ディスク上の同じ角度位置から描画記録が開始され、既に可視画像が記録されている光ディスク上に新たな可視画像を追記するときに、該追記する可視画像を既存の可視画像に対する所望の位置に記録することができる。
【００１０】
本実施の形態においては、前記可視画像記録領域４に初めて可視画像を記録したときに、上述した内周側インフォメーションエリア２又は外周側インフォメーションエリア３に、その光ディスク１に固有の識別番号を記憶するようにしている。そして、前記可視画像記録領域４に可視画像を記録したときに、ホスト機器側に、その光ディスク１に固有の識別番号と、可視画像が描画記録されている光ディスク１のディスク面全体を表し得るイメージデータと、該イメージデータとその光ディスク１に固有の識別番号とを関連付ける情報（リンク情報）とを記憶するようにしている。これにより、後から光ディスク１の可視画像記録領域４に新たな可視画像を追加して記録するときに、その光ディスク１から前記識別番号を読み出し、ホスト機器内にその識別番号に関連するリンク情報が記憶されているときには、そのリンク情報によって識別番号と関連付けられている最新のイメージデータを画像編集プログラムの編集画面に表示して、その光ディスクに既に記録されている可視画像を再現することにより、任意の形の可視画像を既存の可視画像と重なることなく自由に配置でき、編集画面上の配置に応じて光ディスクに可視画像を追加記録することが可能となる。
【００１１】
２．第１の種類の光ディスクにおける識別番号の記録方法
次に、前記識別番号を実際に光ディスク１の所定の領域（内周側インフォメーションエリア２又は外周側インフォメーションエリア３）に記録する方法について説明する。
前述のように、識別番号はディスク内周部の内周側インフォメーションエリア２又はディスク外周部の外周側インフォメーションエリア３の案内溝が形成されている範囲内の領域（識別番号記録領域）に記録される。
【００１２】
２−１．直接記録
図２の（ａ）に示すように、前記内周側インフォメーションエリア２又は外周側インフォメーションエリア３に上述した識別番号をＣＤ−Ｒ／ＲＷで使用しているＥＦＭ（Eight to Fourteen Modulation）エンコード、又は、ＤＶＤ記録で使用している８ｔｏ１６エンコードを使用して記録する。すなわち、ＥＦＭエンコード又は８ｔｏ１６エンコードにより符号化された識別番号の各符号に応じて、各トラックにマークとスペースを交互に形成することにより記録する。これは、通常のＣＤ記録又はＤＶＤ記録の場合と同様にして行うことができる。
この識別番号を再生するときは、通常のＣＤ又はＤＶＤの再生と同様のＣＤデコード又はＤＶＤデコードをすればよい。
【００１３】
２−２．トラックを所定長ごとに分割した区分を１ビットとして記録
上述した記録方法の場合は、記録後再生する際に記録品位（ジッタ、エラー）が悪いと適切に読み出せない恐れがある。そこで、一つのマークの大きさを大きくすることにより記録品位の影響を度外視させることができる。
そのために、識別番号の１ビットに前記内周側インフォメーションエリア２又は外周側インフォメーションエリア３のトラックを所定長ごとに分割した区分を割り当てて記録する。例えば、１ＡＤＩＰワード、１ＥＣＣ（Error Correcting Code）ブロック、又は、１サブコードフレームなどといった所定の長さに１ビットを割り当てる。
図２の（ｂ）は、マーク長さを１ＡＤＩＰワードとしてこれを前記識別番号の１ビットに対応させている例を示している。該ビットが”１”のときは、１ＡＤＩＰワードの長さのランダムパターンを記録し、”０”のときはランダムパターンを記録しないようにすることで前記識別番号を記録する。
ランダムパターンが記録されていない場所では反射率が高く、ランダムパターンが記録されているところでは反射率が低くなるので、光ディスク１から反射される光のレベルを検出することにより、記録された情報を読み出すことができる。この場合は、記録の状態が多少悪くても識別番号を問題なく読み出すことができる。なお、反射率の大小関係は逆でも良い。
【００１４】
２−３．可視画像描画技術を利用して形成したバーコードとして記録
図２の（ｃ）は、識別番号に対応するバーコードを形成する場合を示している。前記識別番号に対応するバーコードを可視画像形成技術を使用して前記内周側インフォメーションエリア２又は外周側インフォメーションエリア３に形成する。このとき、前記特許文献４に記載されたバーコードが好適である。なお、この図においては、バーコードの各バーが直線状に配置されているが、実際には、円周状に（放射状に）配置されることとなる。このバーコードに記録されている情報は、上述の場合と同様に、光ディスク１から反射される光のレベルを検出することにより再生することができる。
バーコードの半径方向の長さを２ｍｍ、円周上のピッチを１ｍｍ程度とすれば、トラッキングをかけなくても読み出しが可能となる。
なお、このバーコードを形成する方法を採用するときには、必ずしも、前記内周側インフォメーションエリア２及び外周側インフォメーションエリア３に案内溝を形成する必要はない。
【００１５】
３．第２の種類の光ディスク
上述した第１の種類の光ディスクは、記録面にデータを記録し、その反対側の面であるレーベル面に可視画像を記録するものであった。したがって、記録面にデータを記録した後にレーベル面に可視画像を記録するときには、光ディスクを裏返しにしてドライブ装置に挿入することが必要であった。
次に、光ディスクを裏返しにして挿入する必要のない第２の種類の光ディスクについて説明する。この第２の種類の光ディスクは、データ記録層と可視画像記録層（画像描画層）の片面２層構造とされたデュアルレイヤーディスクであり、レンズのフォーカス位置を変更するだけで、ディスクを裏返して挿入することなく、同じ面から両方の層（データ記録層と画像描画層）にアクセスすることができる。デュアルレイヤー構成の光ディスクとしては、ＣＤＲタイプ、ＤＶＤＲタイプ、及び、ＣＤＲ−ＤＶＤＲの混合タイプなどがあるが、本発明においては、ＣＤＲデータ記録層を含むものを対象とする。
【００１６】
図３は、本発明において使用する第２の種類の光ディスクの層構造を示す図であり、（ａ）は、ＣＤＲタイプのデュアルレイヤー光ディスクの層構造、（ｂ）はＣＤＲ−ＤＶＤＲ混合タイプのデュアルレイヤー光ディスクの層構造を示している。
図３の（ａ）に示すように、ＣＤＲタイプの光ディスクは、データ面側（対物レンズ側）から、グルーブ（案内溝）付きのポリカーボネート層、データ記録層が順に設けられている。通常のＣＤＲの場合には、前記データ記録層の次に反射層、保護層と設けられるのであるが、このディスクにおいては、前記データ記録層に上に半透明層が設けられており、その上に、中間層を介して、画像描画層が設けられている。また、描画した可視画像をレーベル面から目視することができるように、半透明層及び保護層が設けられている。全体の厚さは１．２mmとされている。
対物レンズを通ったレーザ光は、データ記録層を透過して画像描画層に到達し、画像描画層に熱が加わって感熱層が化学変化を起こして色が変化することにより可視画像を描画することができる。
図３の（ｂ）はＣＤＲ−ＤＶＤＲの混合タイプの層構造を示している。ここでは、データ記録はＣＤ側で行い、画像描画をＤＶＤ側で行うものを示している。
図示するように、データ面側（対物レンズ側）からポリカーボネート層、画像描画層、半透明層からなる画像描画基板が設けられており、グルーブ付きの中間層、データ記録層、半透明層及び保護層からなるＣＤデータ記録基板が設けられている。前記両基板を貼り合わせ、全体の厚さは、１．２mmとされている。
対物レンズを通ったレーザ光は、画像描画層を通ってＣＤのデータ記録層に到達し、データを記録することができる。
【００１７】
このような片面２層構造の光ディスクを用いる場合には、片面から両方の層への書込及び読出が可能であるため、ディスクを裏返すことなくデータの記録や可視画像の描画を行うことができる。新たにピックアップを追加する必要もなく、光ディスク記録装置のファームウエアの変更程度で済む。
なお、この第２の種類の光ディスクにおいては、データ記録層の所定のアドレス位置を前述した基準角度位置を示すマークとすることができる。
また、データ記録をＣＤＲデータ記録層で行う場合には、データを記録するときに、プログラムメモリ領域（ＰＭＡ：program memory area）にそのディスクを識別するためのディスク識別番号が記録される。そこで、このディスク識別番号を前述した光ディスクに固有の識別番号として利用することができる。
【００１８】
４．第２の種類の光ディスクにおける識別番号
前記プログラムメモリ領域（ＰＭＡ）は、リードイン領域の内側に設けられており、部分記録されたディスクの目次情報である開始及び停止の時間を持つトラック番号、各ディスクを識別するためのディスク識別番号などのディスク上の記録に関する情報がサブコードＱチャンネルに符号化されている。ただし、中断なしに１回の書き込み動作でディスク全体を記録するディスクアトワンス（ＤＡＯ）記録の場合には、ＰＭＡの使用はオプションとされており、ＰＭＡが記録されないことが多い。
図４の（ａ）はサブコードの構造を示す図であり、（ｂ）はサブコードＱチャンネルのフレーム構造を示す図である。
図４の（ａ）に示すように、８ビットで構成される１つのシンボルが１フレームに１つずつ記録されており、９８フレームで１つのブロックが構成されている。先頭２フレームのＳ0とＳ1は同期パターンであり、残りの９６フレームのＰ1〜Ｐ96、Ｑ1〜Ｑ96、Ｒ1〜Ｒ96、Ｓ1〜Ｓ96、Ｔ1〜Ｔ96、Ｕ1〜Ｕ96、Ｖ1〜Ｖ96、Ｗ1〜Ｗ96の各ビットで、Ｐチャンネル〜Ｗチャンネルが構成されている。
図４の（ｂ）に示すように、Ｑ1〜Ｑ96の各ビットからなるサブコードＱチャンネルのうち、Ｑ1〜Ｑ4はコントロール、Ｑ5〜Ｑ8はアドレス、Ｑ9〜Ｑ80はデータ、Ｑ81〜Ｑ96はＣＲＣ（Cyclic Redundancy Code）とされている。そして、データのＱ9〜Ｑ80の７２ビットは、さらに、TNO、POINT、MIN、SEC、FRAME、ZERO、PMIN、PSEC、FRAMEのそれぞれ８ビットずつの９個の部分に分けられている。
【００１９】
このサブフレームＱチャンネルの最初の１０フレームにおけるMIN、SEC及びFRAMEの２４ビットの部分に、ＢＣＤ符号化された６桁のディスク識別番号を記録することが規格により定められている。
図５は、ＰＭＡのサブコードＱチャンネルにディスク識別番号が記録されている様子を示す図である。この図に示すように、１フレームから１０フレームにおけるMIN、SEC及びFRAMEの部分に、ディスク識別番号「123456」が繰り返し記録されている。なお、C/A（コントロール及びアドレス）の「02」はMIN、SEC及びFRAMEにディスク識別番号が記録されていることを示しており、ZEROには連続するフレームをラベル付けする番号（０〜９）が記録されている。
このように、第２の種類の光ディスクのＰＭＡには、ディスクアトワンス（ＤＡＯ）記録以外でデータの書き込みが行われたときに、そのディスクを識別するための６桁のディスク識別番号が記録されている。
そこで、このディスク識別番号を前述したディスクに固有の識別番号として利用することにより、可視画像を描画したときに識別番号を記録するステップが不要となる。
【００２０】
５．光ディスク記録装置の構成
図６は、本発明の光ディスクへの可視画像記録方法を実行することができる光ディスク記録装置の一実施の形態の構成を示すブロック図である。この構成により、前述した第１の種類の光ディスク及び第２の種類の光ディスクのいずれに対してもデータの記録再生及び可視画像の記録を行うことができる。
本実施の形態の光ディスク記録装置は、前記光ディスク１に対してデータの記録再生及び可視画像の形成を行う光ディスクドライブ装置１０、及び、該光ディスクドライブ装置１０に接続されたホストコンピュータやバックエンド装置等のホスト機器３０で構成されている。ホスト機器３０には、追記する可視画像を編集するための画像編集プログラムや光ディスク１にデータや可視画像を記録したり、光ディスク１からデータを再生するための制御プログラムが搭載されている。また、可視画像が描画形成されている光ディスク１のディスク面全体を表すイメージデータを各光ディスクの識別番号と対応付けて保存する記憶部を有している。なお、ホスト機器３０の有する機能を前記光ディスクドライブ装置１０に持たせるようにしてもよい。
図示するように、光ディスクドライブ装置１０は、光ディスク１を回転駆動するスピンドルモータ１１、光ピックアップ１２、ＲＦアンプ１３、サーボ回路１４、デコーダ１５、アドレス検出回路１６、ＨＦ信号検出回路１７、制御部１８、レーザーパワーを制御するＡＬＰＣ（Automatic Laser Power Control）回路１９、バッファメモリ２０、エンコーダ２１、ストラテジ回路２２、及び、光ピックアップ１２のレーザーダイオードを駆動するレーザードライバ２３を備えている。
【００２１】
光ピックアップ１２は光ディスク１にレーザー光を照射してデータの記録及び再生を行うとともに、可視画像の形成を行う。レーザー光を光ディスク１に照射したときの戻り光受光信号（ＥＦＭ変調又は８ｔｏ１６変調されたＲＦ信号）は、ＲＦアンプ１３で増幅され、サーボ回路１４、デコーダ１５、アドレス検出回路１６及びＨＦ信号検出回路１７に供給される。
サーボ回路１４は、前記ＲＦアンプ１３からの信号と制御部１８からの制御信号に基づいて前記スピンドルモータ１１の回転制御及び前記光ピックアップ１２のフォーカス制御やトラッキング制御を行う。
デコーダ１５は、前記ＲＦアンプ１３から供給されるＥＦＭ変調又は８ｔｏ１６変調された信号を復調し、再生データを出力する。前記識別番号が前記内周側インフォメーションエリア２又は前記外周側インフォメーションエリア３に前記図２の（ａ）に示した直接記録により記録されているときには、このデコーダ１５により前記識別番号が再生される。
アドレス検出回路１６は、前記ＲＦアンプ１３から供給される信号からウォブル信号成分を抽出して前記ＡＤＩＰ（又はＡＴＩＰ）を復号し、アドレス情報（位置アドレス）を検出する。
ＨＦ信号検出回路１７は、前記ＲＦアンプ１３から供給されるＲＦ信号のエンベロープを検出して、前記制御部１８に供給する。前記ＡＤＩＰやバーコードを形成されていない領域は反射率が高く、それらが形成された領域は反射率が低い。従って、このＨＦ信号検出回路１７から出力される信号のエンベロープの状態から、前記図２の（ｂ）に示したように前記識別番号をＡＤＩＰの有無により符号化した場合や、前記図２の（ｃ）に示したように前記識別番号に対応するバーコードを形成した場合には、このＨＦ信号検出回路１７の出力から前記識別番号を再生することができる。
【００２２】
バッファメモリ２０は、ホスト機器３０から供給される情報、すなわち、光ディスク１に記録すべきデータ（記録データ）及び光ディスク１に描画する可視画像のデータを記憶する。
エンコーダ２１は、バッファメモリ２０から読み出された記録データ又は可視画像のデータをＥＦＭ変調又は８ｔｏ１６変調し、ストラテジ回路２２に出力する。
ストラテジ回路２２は、エンコーダ２１から供給された信号に時間軸補正処理等を行い、レーザードライバ２３に出力する。
レーザードライバ２３は、ストラテジ回路２２から供給される変調された信号と、ＡＬＰＣ回路２９の制御に基づいて、光ピックアップ１２のレーザーダイオードを駆動する。
【００２３】
前述のように、前記光ディスク１には、前記基準角度位置を示すマークが設けられており、前記制御部２８は、前記アドレス検出回路２６や前記デコーダ２５などからの出力に基づいて前記基準角度位置を示すマークを検出するようになされている。
光ディスク１に可視画像を形成するとき、前記制御部２８は、前記基準角度位置を示すマークを検出したタイミングで、前記エンコーダ２１にその周回に描画する画像データのエンコードを開始させ、その画像データに対応する可視画像の記録を開始させる。
これにより、光ディスク１の所定の位置から可視画像を形成することができる。
【００２４】
６．第１の種類の光ディスクを使用する場合の光ディスク記録装置の動作
前述のように、本発明の光ディスク記録装置においては、前記第１の種類の光ディスク１に最初に可視画像を記録するときに、その光ディスク１の前記内周側インフォメーションエリア２又は前記外周側インフォメーションエリア３にその光ディスク１に固有の識別番号を記録するようにしており、また、光ディスク１に可視画像を記録したときに、光ディスク１に固有の識別番号と、可視画像が形成されたその光ディスク１のイメージデータと、そのイメージデータとその光ディスク１の識別番号とを関連付けるリンク情報とを前記ホスト機器３０に保存するようにしている。
ここで、本発明において用いられる各種のデータを次のように定義する。
Ｂx0：各光ディスクｘに固有に与えられる識別番号（情報Ｂ）
Ｃxn：可視画像が記録されている光ディスクのイメージデータ（情報Ｃ、ホスト機器３０に保存される。）
Ｄxn：情報Ｂと情報Ｃを関連付けるリンク情報（情報Ｄ、ホスト機器３０に保存される。）
Ｇ：イメージデータＣxn中の画像データ
Ｃ’：ユーザーが追記する画像データ
B0-exist：光ディスク１に記録されている識別番号の有無を表すフラグ（「０」：無し、「１」：有り）
ここで、ｎは追記回数を示しており、ｎ＝０は初回記録を終了した状態、ｎ＝１は１回目の追記を終了した状態、ｎ＝ｋはｋ回目の追記を終了した状態を示している。
【００２５】
図７は、このような情報Ｂ（識別番号）、情報Ｃ（可視画像が記録された光ディスクのイメージデータ）及び情報Ｄ（リンク情報）の例を示す図である。
図７における（１）は第１の光ディスク（ｘ＝１）に可視画像を初めて記録した後における識別番号、可視画像が記録された光ディスクのイメージデータ及びリンク情報を示している。この図に示す例では、第１のディスクの識別番号Ｂ10は「AABBCCDD」、可視画像が記録されたそのディスクのイメージデータＣ10は「picture1.bmp」という名称のファイル、これらを関連付けるリンク情報はＤ10（Ｂ10，Ｃ10）とされている。
図７の（２）は該第１の光ディスクに１回目の追記を行った後の各データを示している。光ディスクの識別番号は初回記録時にのみ光ディスクに記録されるため、Ｂ10は不変である。また、一回目の追記を行った後のイメージデータＣ11は「picture2.bmp」というファイル名で保存されており、これらを関連付けるリンク情報はＤ11（Ｂ10，Ｃ11）とされている。
図７の（３）は第２の光ディスク（ｘ＝２）に可視画像を初めて記録したときの各データの例を示している。この図に示した例では、識別番号Ｂ20は「ACEGIKMO」とされている。また、ここでは、第２の光ディスクに前記第１の光ディスクへの初回記録時と同一の可視画像を記録したものとされており、イメージデータは前記Ｃ10と同じ「picture1.bmp」、リンク情報はＤ20（Ｂ20，Ｃ10）とされている。
図７の（４）は第３の光ディスク（ｘ＝３）に可視画像を初めて記録したときの各データの例を示しており、その光ディスクの識別番号Ｂ30は「01234567」とされている。そして、この第３の光ディスクに前記第１の光ディスクに対する１回目の追記後の可視画像と同じ可視画像が記録されたものとされており、そのイメージデータは前記Ｃ11と同じ「picture2.bmp」、リンク情報はＤ30（Ｂ30，Ｃ11）とされている。
情報Ｃであるファイルは、単層データ、画像データごとの複層重ね合わせ、あるいは、画像データと位置情報との組合せでもよい。
【００２６】
このように、ホスト機器側に、各光ディスクの識別情報（情報Ｂ）、可視画像が記録された各光ディスクのイメージデータ（情報Ｃ）及び各光ディスクの識別情報と可視画像が記録されたその光ディスクのイメージデータとを関連付けるリンク情報（情報Ｄ）が保存されている。これにより、光ディスクの識別番号から前記リンク情報を参照して、可視画像が記録されたその光ディスクのイメージデータを読み出すことにより、その光ディスクの既存画像を表示画面上に表示することができる。また、リンク情報により識別番号とイメージデータを関連付けて共有化しているので、各光ディスク対応にイメージデータを保存する場合と比較して、同一の可視画像を複数の光ディスクに形成するときなどに必要とされる記憶容量を少なくすることができる。
【００２７】
図８は、第１の種類の光ディスクを使用する場合の本発明の光ディスク記録装置における処理の流れを示すフローチャートである。なお、図８では、煩雑さを避けるため、情報Ｂx0、Ｃxn、Ｄxnにおける添字ｘの記載を省略している。
光ディスク１が前記光ディスクドライブ装置１０に挿入されると、光ディスクドライブ装置１０はそのディスクが可視画像を記録することができる第１の種類の光ディスクであるか否かを判定し、可視画像描画対応メディアでない場合は、エラー終了する。可視画像を記録することができる光ディスクであるときは、図８のフローチャートが実行される。
まず、その光ディスク１の前記内周側インフォメーションエリア２又は前記外周側インフォメーションエリア３を読み出し、前記識別情報（情報Ｂx0）が記録されているか否かを判定する（ステップＳ１）。
情報Ｂx0が記録されていないときは、前記フラグB0-existを「０」とする（ステップＳ２）。
情報Ｂx0が記録されているときは、フラグB0-existを「１」とし（ステップＳ３）、該情報Ｂx0を再生する（ステップＳ４）。
そして、前記フラグB0-exist及び情報Ｂx0が再生されたときの情報Ｂx0を前記ホスト機器３０に送信する（ステップＳ５）。
【００２８】
前記ホスト機器３０は、前記光ディスクドライブ装置１０からのフラグB0-exist等の情報を受信すると（ステップＳ１１）、受信したフラグB0-existが「０」であるか「１」であるかを判定する。
フラグB0-existが「０」のときは、未記録メディアが挿入され、初めて可視画像を記録する場合（ケース１）となり、ステップＳ２４へ進む。
フラグB0-existが「１」のときは、同時に受信した情報Ｂx0（識別番号）に対応する情報Ｄxnが自ホスト機器３０に保存されているか否かを判定し（ステップＳ１３）、保存されていれば、同じホスト機器を使用して可視画像を追記する場合（ケース２）となり、ステップＳ１５に進む。保存されていなければ、ホスト機器を変えて追記しようとしている場合（ケース３）となり、ステップＳ１４に進む。なお、ステップＳ１３における判定は、ホスト機器３０に保存されている情報Ｂx0との照合であってもよい。
以下、各ケースについて説明する。
【００２９】
６−１．ケース１（光ディスクに初めて可視画像を記録する場合）
未記録メディアが挿入され、初めて可視画像を記録する場合には、ディスクに情報Ｂx0は存在せず、ホスト機器３０にも情報Ｂx0、Ｃx0及びＤx0が存在しない。したがって、可視画像を編集するための画像編集プログラムの画面には既存の可視画像は表示されず（ステップＳ２４）、ユーザは新規に画像データＧを張り付け、位置や大きさ、形などを編集する。あるいは、既存の情報Ｃを利用してイメージデータを編集し、光ディスク１に記録したい画像を描画する（ステップＳ２５）。
このようにして編集されたイメージデータをその光ディスクに対応する情報Ｃx0として、ホスト機器３０のメモリに記憶する（ステップＳ２６）。
そして、該保存したイメージデータＣx0を光ディスク１に追記する可視画像を描画するための画像データＣ’とする（ステップＳ２７）。
次に、その光ディスク１に付与する識別番号Ｂx0を作成する（ステップＳ２８）。例えば、そのときの現在時刻などを種として発生させた乱数に基づいて識別番号を作成する。
そして、前記ステップＳ２６で作成した情報Ｃx0と前記ステップＳ２８で作成した情報Ｂx0を前記ホスト機器３０のハードディスク装置などの記憶部に保存する（ステップＳ２９）。
次に、前記情報Ｂx0と情報Ｃx0とを関連付けるリンク情報Ｄx0を作成し、同様に、ホスト機器３０に保存する（ステップＳ３０）。
そして、前記情報Ｂx0を前記光ディスクドライブ装置１０へ送信する（ステップＳ３１）。
前記光ディスクドライブ装置１０はホスト機器３０から受信した情報Ｂx0を前記光ディスク１の前記内周側インフォメーションエリア２又は前記外周側インフォメーションエリア３に前記図２の（ａ）〜（ｃ）に示したいずれかの方法で記録する（ステップＳ３２）。
次に、前記ホスト機器３０は前記光ディスク１に追記する可視画像を描画するための画像データＣ’を前記光ディスクドライブ装置１０に送信し（ステップＳ２２）、前記光ディスクドライブ装置１０は、対応する可視画像を前記光ディスク１に記録する（ステップＳ２３）。
【００３０】
６−２．ケース２（同じホスト機器を使用して可視画像を追記する場合）
次に、同じホスト機器３０を使用して可視画像を追記する場合について説明する。
この場合は、光ディスクドライブ装置１０で情報Ｂx0を認識することができ、ホスト機器３０内に情報Ｄxnが存在している（ステップＳ１３がＹＥＳ）。例えば、２回目の描画、すなわち、１回目の追記を行う場合には、初期記録が既に行われているので、ホスト機器３０には、そのときに生成された情報Ｂx0、Ｃx0及びＤx0（Ｂx0，Ｃx0）が保存されている。
したがって、情報Ｄxnを用いて情報Ｂx0に対応する情報Ｃxnを前記記憶部から読み出し（ステップＳ１５）、光ディスク１に記録する可視画像を編集するための画像編集プログラムの編集画面に該情報Ｃxn（可視画像が既に記録されている光ディスク１のイメージデータ）を表示する（ステップＳ１６）。これにより、光ディスク１に記録されている既存画像を再現することができる。
ユーザーは、該画面を使用して、イメージデータＣxnの上に新たに追加したい画像Ｇを張り付けたり、ホスト機器３０内に保存されている他の情報Ｃと合成したりして追記する可視画像を編集する（ステップＳ１７）。
そして、編集されたイメージデータＣxn+1をホスト機器３０のメモリに一時的に記録する（ステップＳ１８）。
【００３１】
次に、該作成された情報Ｃxn+1と前記保存されていた情報Ｃxnとの差分Ｃ’＝Ｃxn+1−Ｃxnを光ディスク１に追記する可視画像の画像データとして抽出する（ステップＳ１９）。すなわち、新たな可視画像が追加されているイメージデータＣxn+1の各ピクセルと既存のイメージデータＣxnの各ピクセルとの差分をとることで、ユーザが追加したい可視画像の画像データＣ’を抽出する。
そして、前記作成された情報Ｃxn+1をホスト機器３０に保存する（ステップＳ２０）。このとき、イメージデータＣxnは、他の光ディスクに使用されている可能性が有るので、そのまま保存しておく。
次に、前記識別番号Ｂx0と前記ステップＳ１８で作成したイメージデータＣxn+1とを関連付けるリンク情報Ｄxn+1（Ｂx0，Ｃxn+1）を作成し、保存していたリンク情報Ｄxnに上書きする（ステップＳ２１）。このように、一世代前のリンク情報Ｄxnは消失され、最新のリンク情報Ｄxn+1のみが保存される。これにより、次回に識別番号Ｂx0の光ディスクを挿入したときには、該リンク情報Ｄxn+1に基づいてその光ディスクの最新のイメージデータＣxn+1が読み出されることとなる。
次に、前記ステップＳ１９で抽出された追記する画像データＣ’を前記光ディスクドライブ装置１０に送信し（ステップＳ２２）、光ディスクドライブ装置１０は該画像データに基づいて可視画像を前記光ディスク１に追記する（ステップＳ２３）。
【００３２】
６−３．ケース３（ホスト機器を変えて可視画像を追記する場合）
次に、ホスト機器を変えて追記しようとした場合について説明する。
この場合には、ディスク上の情報Ｂx0を再生し、ドライブから情報Ｂx0を受信するも、ホスト機器に情報Ｂx0又は情報Ｂx0に対応する情報Ｄxnが存在しない（ステップＳ１３がＮＯ）。したがって、対応する情報Ｃxnのイメージデータをロードすることができず、ディスク上の既存画像を画面上に再現することができない。よって、追記不可能となり、その旨を警告するメッセージを表示して処理を終了する（ステップＳ１４）。
【００３３】
７．第２の種類の光ディスクを使用する場合の光ディスク記録装置の動作
前述のように、第２の種類の光ディスクを使用する場合には、該第２の種類の光ディスクのＰＭＡに記録されているディスク識別番号を前述した識別番号（情報Ｂ）として使用する。
図９は、第２の種類の光ディスクを使用する場合の本発明の光ディスク記録装置における処理の流れを示すフローチャートである。
第２の種類の光ディスクに可視画像を描画する処理が開始されると、まず、ホスト機器３０は、光ディスクドライブ装置１０に対し挿入されている光ディスクの情報Ｂの取得を要求する（ステップＳ５１）。
これに応じて、光ディスクドライブ装置１０は挿入されている第２の種類の光ディスクのデータ層に記録されているＰＭＡエリアの再生を行う（ステップＳ５２）。
そして、ＰＭＡが存在するか否かを判定する（ステップＳ５３）。
挿入されている第２の種類の光ディスクが全く未使用のものであるとき、及び、その光ディスクがディスクアトワンス記録されたものであるときには、ＰＭＡエリアが存在しないので（ステップＳ５３がＮＯ）、光ディスクドライブ装置１０はホスト機器３０に対してエラー信号を返送する（ステップＳ５４）。これを受けてホスト機器３０は、ユーザに対して警告を表示し（ステップＳ５５）、処理を終了する。例えば、ユーザに対し、「次回に、追記が正常に行われない可能性があります。データ記録を行ってから画像を記録して下さい。」といった内容の警告を行う。あるいは、画像記録を強行するか否かをユーザに選択させ、強行することが選択された場合には、少量のダミーデータをデータ層に記録してＰＭＡエリアを作成する処理を行うようにしてもよい。
【００３４】
一方、ＰＭＡが存在するときは（ステップＳ５３がＹＥＳ）、光ディスクドライブ装置１０はＰＭＡに記録されているディスク識別番号（情報Ｂ）を取得し、ホスト機器３０に転送する（ステップＳ５６）。
ホスト機器３０は、光ディスクドライブ装置１０から転送されてきた情報Ｂ（Ｂx0）を含むリンク情報Ｄ（Ｄxn）が自機内に保存されているか否かを判定する（ステップＳ５７）。
その結果、情報Ｂを含むリンク情報Ｄxnが保存されている場合には（ステップＳ５７がＹＥＳ）、前記図８におけるケース２（同じホスト機器を使用して可視画像を追記する場合）のステップＳ１５〜Ｓ２１の処理と同じ処理を実行する（ステップＳ５８）。すなわち、前記情報Ｄxnを用いて情報Ｂに対応するイメージデータＣxnを前記記憶部から読み出し、画像編集プログラムの編集画面にそのイメージデータＣxnを表示し、ユーザによる画像の追加などの編集処理が行われた結果である新たなイメージデータＣxn+1を得、光ディスクに追記する可視画像のデータＣ’として差分のデータを抽出し（Ｃ’＝Ｃxn+1−Ｃxn）、新たなイメージデータＣxn+1を保存し、情報Ｂx0とイメージデータＣxn+1とを関連付けるリンク情報Ｄxn+1（Ｂx0，Ｃxn+1）を作成して保存していたリンク情報Ｄxnに上書き保存する。
一方、情報Ｂを含むリンク情報Ｄxnが保存されていないときは（ステップＳ５７がＮＯ）、前記図８におけるケース１（初めて可視画像を記録する場合）のステップＳ２４〜Ｓ２７、Ｓ２９及びＳ３０の処理を実行する（ステップＳ５９）。すなわち、この場合はデータは記録されておりＰＭＡは記録されているものの、可視画像が描画されていないので、画像編集プログラムに編集画面にブランク状態の光ディスク面が表示され、ユーザによる画像の追加などの編集処理が行われた結果のイメージデータＣx0を得、該イメージデータＣx0を光ディスクに追記する可視画像のデータＣ’とし（Ｃ’＝Ｃx0）、前記情報ＢとイメージデータＣx0を関連付けるリンク情報Ｄx0（Ｂx0，Ｃx0）を作成し、記憶部に保存する。
前記ステップＳ５８あるいはＳ５９を実行した後、前記ホスト機器３０は光ディスクに追記する可視画像のデータＣ’を光ディスクドライブ装置１０に送信し（ステップＳ６０）、光ディスクドライブ装置１０は該データＣ’を前記第２の種類の光ディスクの画像描画層に記録する（ステップＳ６１）。
このようにして、第２の種類の光ディスクに可視画像を記録することができる。
【図面の簡単な説明】
【００３５】
【図１】本発明において使用する第１の種類の光ディスクの一実施の形態の構造を示す図である。
【図２】識別番号を第１の種類の光ディスクに記録する方法について説明するための図であり、（ａ）は識別番号を記録領域に直接記録する場合、（ｂ）は記録領域のトラックを所定長ごとに分割して区分を１ビットとして記録する場合、（ｃ）は識別番号に対応するバーコードを可視画像記録の手法によって記録領域に形成する場合を示している。
【図３】本発明において使用する第２の種類の光ディスクの層構造を示す図であり、（ａ）はＣＤＲタイプのデュアルレイヤー光ディスクの層構造を示す図、（ｂ）はＣＤＲ−ＤＶＤＲ混合タイプのデュアルレイヤー光ディスクの層構造を示す図である。
【図４】サブコードについて説明するための図であり、（ａ）はサブコードの構造を示す図、（ｂ）はサブコードＱチャンネルのフレーム構造を示す図である。
【図５】ＰＭＡのサブコードＱチャンネルにディスク識別番号が記録されている様子を示す図である。
【図６】本発明の光ディスク記録装置の一実施の形態の構成を示すブロック図である。
【図７】各光ディスクに固有に与えられる識別番号、イメージデータ及びリンク情報について説明するための図である。
【図８】第１の種類の光ディスクを使用する場合の本発明の光ディスク記録装置における処理の流れを示すフローチャートである。
【図９】第２の種類の光ディスクを使用する場合の本発明の光ディスク記録装置における処理の流れを示すフローチャートである。
【符号の説明】
【００３６】
１：光ディスク、２：内周側インフォメーションエリア、３：外周側インフォメーションエリア、４：可視画像記録領域、１０：光ディスクドライブ装置、１１：スピンドルモータ、１２：光ピックアップ、１３：ＲＦアンプ、１４：サーボ回路、１５：デコーダ、１６：アドレス検出回路、１７：ＨＦ信号検出回路、１８：制御部、１９：ＡＬＰＣ回路、２０：バッファメモリ、２１：エンコーダ、２２：ストラテジ回路、２３：レーザードライバ、３０：ホスト機器
【図１】
2007042259.tif 000003
【図２】
2007042259.tif 000004
【図３】
2007042259.tif 000005
【図４】
2007042259.tif 000006
【図５】
2007042259.tif 000007
【図６】
2007042259.tif 000008
【図７】
2007042259.tif 000009
【図８】
2007042259.tif 000010
【図９】
2007042259.tif 000011